(57)【要約】【課題】バックライト等にかざしても隠蔽された機密データが視認されにくく、製造コストが低減でき、剥離性が高いスクラッチ印刷等を提供する。【解決手段】スクラッチ印刷物１００は、基材１１上に順に、機密データ１２、剥離層１３、ダミー隠蔽層１４ａ、ベタ隠蔽層１４ｂが印刷されて構成される。機密データ１２が有する情報は、ＩＤ番号、ナンバ−リング(管理番号）等であり、剥離層１３の印刷パターンは、機密データ１２を覆う均一なパターンである。ダミー隠蔽層１４ａの印刷パターンは、数字等の文字の不規則な羅列パターンである。ダミー隠蔽層１４ａを構成する文字は、機密データ１２の同一又は類似フォント、同一又は類似サイズであることが好ましい。ベタ隠蔽層１４ｂの印刷パターンは、機密データ１２を覆う均一なパターンである。【選択図】図２
2014233915.tif 000002
【特許請求の範囲】
【請求項１】
機密データが印刷された基材上に順に、
透明な剥離層と、
ベタパターンである第１隠蔽層、及び、ダミーパターンである第２隠蔽層からなる隠蔽層と、
を積層するスクラッチ印刷物であって、
前記隠蔽層は、前記剥離層から容易に剥離可能な材料で形成される
ことを特徴とするスクラッチ印刷物。
【請求項２】
機密データが印刷された基材上に順に、
透明な剥離層と、
ダミーパターンである第１隠蔽層、及び、ベタパターンである第２隠蔽層からなる隠蔽層と、
を積層するスクラッチ印刷物であって、
前記隠蔽層は、前記剥離層から容易に剥離可能な材料で形成される
ことを特徴とするスクラッチ印刷物。
【請求項３】
前記剥離可能な材料は、シルバーインキである
ことを特徴とする請求項１又は請求項２に記載のスクラッチ印刷物。
【請求項４】
前記機密データは、文字を羅列した可変情報である
ことを特徴とする請求項１乃至請求項３のいずれかに記載のスクラッチ印刷物。
【請求項５】
前記ダミーパターンは、不規則な順序で文字が並ぶパターンであって、前記パターン中の前記文字が前記機密データを形成する前記文字と同一若しくは類似のフォント、又は、同一若しくは類似のサイズである
ことを特徴とする請求項４に記載のスクラッチ印刷物。
【請求項６】
前記隠蔽層の上に、さらに、
ホワイトインキ層と、
通常の印刷色インキ層と、を積層する
ことを特徴とする請求項１乃至請求項５のいずれかに記載のスクラッチ印刷物。
【請求項７】
前記剥離層と前記隠蔽層とがオフセット印刷によって印刷されて、前記機密データがバリアブル印刷によって印刷される
ことを特徴とする請求項１乃至請求項６のいずれかに記載のスクラッチ印刷物。
【請求項８】
基材上に順に、
機密データを印刷する機密データ印刷工程と、
透明な剥離層を印刷する剥離層印刷工程と、
ベタパターンである第１隠蔽層、及び、ダミーパターンである第２隠蔽層からなる隠蔽層を印刷する隠蔽層印刷工程と、
を含むスクラッチ印刷方法であって、
前記隠蔽層は、前記剥離層から容易に剥離可能な材料で形成される
ことを特徴とするスクラッチ印刷方法。
【請求項９】
基材上に順に、
機密データを印刷する機密データ印刷工程と、
透明な剥離層を印刷する剥離層印刷工程と、
ダミーパターンである第１隠蔽層、及び、ベタパターンである第２隠蔽層からなる隠蔽層を印刷する隠蔽層印刷工程と、
を含むスクラッチ印刷方法であって、
前記隠蔽層は、前記剥離層から容易に剥離可能な材料で形成される
ことを特徴とするスクラッチ印刷方法。
【発明の詳細な説明】
【技術分野】
【０００１】
本発明は、機密データ等を隠蔽するスクラッチ隠蔽層が印刷されたスクラッチ印刷物、スクラッチ印刷方法に関するものである。
【背景技術】
【０００２】
従来より、抽選券やプリペイドカード等に印刷される、抽選結果、当選した商品名、ＩＤ番号、バーコード等の機密データを隠蔽するための隠蔽層を有するスクラッチ印刷物が知られている。隠蔽層は、機密データを外部から視認させないようにする隠蔽性と、コインや爪等により擦ることで機密データをスクラッチ印刷物の所有者に視認させるための剥離性を有する。
【０００３】
図６は、従来のスクラッチ印刷物３００の積層断面を表した模式図である。図６に示す様に、従来のスクラッチ印刷物３００とは、紙またはプラスチック等の基材１１の表面に、数字等からなる機密データ１２が印刷され、機密データ１２を覆うように透明な剥離ニス等による剥離層１３が形成され、剥離層１３上に隠蔽層１４が施されているものである。
【０００４】
薄い用紙等の、光透過性が高い基材１１を使用する場合、基材１１の裏面から強い光を当てた場合、その反対面から機密データ１２の陰影が透けて見えることがあり、隠蔽性に課題があった。
【０００５】
この課題を解決するために、例えば、インキ層を厚く盛り上げて印刷することが可能なシルクスクリーン印刷によって隠蔽層１４を形成することや、オフセット印刷により隠蔽層１４を重ね刷りして形成することで、隠蔽層１４の光透過性を低下させることが考えられる。
【０００６】
また、特許文献１の記載の技術では、機密データ１２が通常の印刷色インキ層と、剥離層１３の非画線部に押し込まれている隠蔽層１４が提案されている。
【先行技術文献】
【特許文献】
【０００７】
【特許文献１】特開２００３−１０３９７３号公報
【発明の概要】
【発明が解決しようとする課題】
【０００８】
しかしながら、シルクスクリーン印刷にて隠蔽層１４を形成する場合には、手で触れると隠蔽層１４の有無がわかってしまうという問題があり、オフセット印刷にて隠蔽層１４を形成する場合には、何度も重ね刷りする必要があるため、印刷工程が増え、コストがかさむという問題があった。
【０００９】
また、上述の非特許文献１では、スクラッチした場合に、剥離層１３の上に隠蔽層１４が形成されていない箇所で、隠蔽層１４が基材１１に汚れのように残ってしまうという問題があった。
【００１０】
本発明は、前述した問題点に鑑みてなされたものであり、その目的とすることは、バックライト等にかざしても隠蔽された機密データが視認されにくく、製造コストが低減でき、剥離性が高いスクラッチ印刷物等を提供することである。
【課題を解決するための手段】
【００１１】
前述した課題を解決するために第１の発明は、機密データが印刷された基材上に順に、透明な剥離層と、ベタパターンである第１隠蔽層、及び、ダミーパターンである第２隠蔽層からなる隠蔽層と、を積層するスクラッチ印刷物であって、前記隠蔽層は、前記剥離層から容易に剥離可能な材料で形成されることを特徴とするスクラッチ印刷物である。
また、第２の発明は、機密データが印刷された基材上に順に、透明な剥離層と、ダミーパターンである第１隠蔽層、及び、ベタパターンである第２隠蔽層からなる隠蔽層と、を積層するスクラッチ印刷物であって、前記隠蔽層は、前記剥離層から容易に剥離可能な材料で形成されることを特徴とするスクラッチ印刷物である。
これにより、隠蔽層の膜厚を不均一に変化させることが可能となり、スクラッチ印刷物の裏面からバックライトを当てても、機密データを外部から視認させにくくすることができる。また、隠蔽層の印刷回数、塗布量を低下させることが可能となり、製造コストを低減させることができる。なお、ベタパターンである第１隠蔽層とダミーパターンである第２隠蔽層とを積層する順序は、どちらが先でも良い。
【００１２】
ベタパターンとは、印刷面に濃淡の差や白抜け部分が無く、印刷インキで完全に覆われているパターンをいう。ダミーパターンとは、機密データの視認を困難にするパターンであり、例えば、文字または柄、あるいは文字及び柄が組み合わされたパターンである。
【００１３】
また、前記剥離可能な材料は、シルバーインキであることが望ましい。
これにより、隠蔽層の隠蔽性とスクラッチ性を向上させることができる。
【００１４】
また、前記機密データは、文字を羅列した可変情報であることが望ましい。
これにより、機密データがスクラッチ印刷物ごとに異なる場合であっても、ダミーパターンをスクラッチ印刷物ごとに変化させる必要は無い。文字とは数字、英文字、カタカナ文字、ひらがな文字、等である。
【００１５】
また、前記ダミーパターンは、不規則な順序で文字が並ぶパターンであって、前記パターン中の前記文字が前記機密データを形成する前記文字と同一若しくは類似のフォント、又は、同一若しくは類似のサイズであることが望ましい。
これにより、機密データを更に判別しづらくなる。
【００１６】
また、前記隠蔽層の上に、さらに、ホワイトインキ層と、通常の印刷色インキ層と、を積層することが望ましい。
これにより、会社のロゴやイラストなどを隠蔽層上に印刷することができる。
【００１７】
また、前記剥離層と前記隠蔽層とがオフセット印刷によって印刷されて、前記機密データがバリアブル印刷によって印刷されることが望ましい。
これにより、印刷膜厚を薄くすることができる。
【００１８】
第３の発明は、基材上に順に、機密データを印刷する機密データ印刷工程と、透明な剥離層を印刷する剥離層印刷工程と、ベタパターンである第１隠蔽層、及び、ダミーパターンである第２隠蔽層からなる隠蔽層を印刷する隠蔽層印刷工程と、を含むスクラッチ印刷方法であって、前記隠蔽層は、前記剥離層から容易に剥離可能な材料で形成されることを特徴とするスクラッチ印刷方法である。
また、第４の発明は、基材上に順に、機密データを印刷する機密データ印刷工程と、透明な剥離層を印刷する剥離層印刷工程と、ダミーパターンである第１隠蔽層、及び、ベタパターンである第２隠蔽層からなる隠蔽層を印刷する隠蔽層印刷工程と、を含むスクラッチ印刷方法であって、前記隠蔽層は、前記剥離層から容易に剥離可能な材料で形成されることを特徴とするスクラッチ印刷方法である。
これにより、隠蔽層の膜厚を不均一に変化させることが可能となり、スクラッチ印刷物の裏面からバックライトを当てても、機密データを外部から視認させにくくすることができる。また、隠蔽層の印刷回数、塗布量を低下させることが可能となり、製造コストを低減させることができる。なお、ベタパターンである第１隠蔽層とダミーパターンである第２隠蔽層とを積層する順序は、どちらが先でも良い。
【発明の効果】
【００１９】
本発明によれば、バックライト等にかざしても隠蔽された機密データが視認されにくく、製造コストが低減でき、剥離性が高いスクラッチ印刷等を提供することができる。
【図面の簡単な説明】
【００２０】
【図１】本発明に係るスクラッチカード１の一例を示す図
【図２】第１の実施形態に係るスクラッチ印刷物１００の積層断面を表した模式図
【図３】第１の実施形態に係るスクラッチ印刷物１００を構成する各層の印刷パターンの一例を示す図
【図４】第１の実施形態に係るスクラッチ印刷物１００と、従来のスクラッチ印刷物３００をそれぞれバックライトにかざした際に透かして見えるイメージ図
【図５】第２の実施形態に係るスクラッチ印刷物２００の積層断面を表した模式図
【図６】従来のスクラッチ印刷物３００の積層断面を表した模式図
【発明を実施するための形態】
【００２１】
以下図面に基づいて、本発明の実施形態を詳細に説明する。本発明に係るスクラッチ印刷物１００（２００）を構成する物品は、スクラッチカード、くじ付きハガキ、スクラッチくじなど、どのようなものでも良い。本発明の実施形態では、スクラッチカードを物品の一例として説明する。
【００２２】
図１は、スクラッチカード１の一例を示す図である。図１に示すように、スクラッチカード１の一部に、スクラッチ印刷物１００（２００）が構成され、スクラッチ印刷物１００（２００）の周囲には、キャンペーン内容等２が印刷されている。
【００２３】
次に、図２〜図３を参照して、第１の実施形態に係るスクラッチ印刷物１００の層構成について説明する。
【００２４】
図２は、スクラッチ印刷物１００の積層断面を表した模式図である。図２に示すように、スクラッチ印刷物１００は、基材１１上に順に、機密データ１２、剥離層１３、ダミー隠蔽層１４ａ、ベタ隠蔽層１４ｂが印刷されて構成される。
【００２５】
基材１１上に機密データ１２を印刷する方式は、バリアブル印刷が可能なインクジェット方式が好ましい。
基材１１上に剥離層１３、ダミー隠蔽層１４ａ、ベタ隠蔽層１４ｂを印刷する方式は、薄膜印刷可能な方式が好ましく、例えば、オフセット印刷のほか、生産効率のよいグラビア方式、樹脂凸版を用いたロールコート方式あるいはフレキソ方式などが好ましい。
【００２６】
基材１１とは、紙であっても、プラスチックであっても良く、紙では、アート紙、コート紙、上質紙等の洋紙やコートボール、コートマニラ、両面カードなどの板紙等が挙げられ、プラスチックでは、白色ＰＥＴ（ポリエチレンテレフタレート）、白色ＰＶＣ（ポリ塩化ビニル）シート等が挙げられ、適宜用途に応じて選定されるものである。光透過性の高い基材１１において、本発明の効果を特に発揮することができる。
【００２７】
機密データ１２を形成するインキは、通常の印刷用黒インキであり、基材１１に合わせて適宜選定される。
【００２８】
剥離層１３を形成するインキは、ダミー隠蔽層１４ａ、ベタ隠蔽層１４ｂがスクラッチオフされ易いインキであり、例えば、ポリウレタンアクリル樹脂、ポリアミド樹脂、ニトロセルロース樹脂に添加剤としてシリコンやワックス（ポリエチレンワックス等）を５重量％程度添加したインキである。
【００２９】
また、印刷インキのビヒクル（印刷インキの着色顔料と添加剤を除いた成分）に滑材（シリコンやポリエチレンワックス等）を５重量％程度添加した剥離ニスを用いても良い。
【００３０】
隠蔽層１４ａ、１４ｂを形成するインキの組成は、例えば、隠蔽性を付与するためのアルミニウム粉１５〜２５重量部、アルミナ白等体質顔料を含めた着色顔料１５〜２５重量部、凝集破壊（団塊）性のあるＳＢＲ、ＮＢＲ等合成ゴム系樹脂１５〜２５重量部、さらにこれらにトルエンやキシレン、メチルイソブチルケトン等芳香族炭化水素系溶剤３５〜４５重量部と消泡剤等助剤５〜１５重量部を加えて各印刷方式に合わせて調合するものである。
【００３１】
また、上記のようなダミー隠蔽層１４ａ、ベタ隠蔽層１４ｂ用のインキに代わり、消防法や労働安全衛生法（有機溶剤中毒予防規則）あるいはＶＯＣ規制等環境上の規制等に優位な水性エマルジョンインキを用いることもできる。そのインキの組成は、例えば隠蔽性とスクラッチ性を付与するためのアルミニウムペースト（アルミニウム微粉末を脂肪酸等で表面処理し、沸点の高いミネラルスピリットなどでペースト状としたもの）と着色顔料が２０〜４５重量部、バインダーとしてのポリウレタン系合成樹脂２５〜５０重量部、消泡剤等助剤１〜１０重量部を、１０〜３５重量部の水と５重量部未満のイソプロピルアルコールに分散させたものが挙げられる。隠蔽層１４ａを形成するインキ組成は、隠蔽層１４ｂのインキ組成と同一であっても、異なっていても良い。
【００３２】
ダミー隠蔽層１４ａ、ベタ隠蔽層１４ｂに通常の黒インキを使用してもよいが、黒インキが若干剥離層に残る為、ダミー隠蔽層１４ａ、ベタ隠蔽層１４ｂにシルバーインキを用いるのが好ましい。ダミー隠蔽層１４ａとベタ隠蔽層１４ｂを薄く印刷したときに、スクラッチ印刷物１００に機密データ１２の影が裏映りしてもダミー隠蔽層１４ａのダミー文字も影になって一緒に映るため隠蔽の効果がある。
【００３３】
なお、ベタ隠蔽層１４ｂを複数回印刷する場合は、基材１１にダミー隠蔽層１４ａを印刷してからベタ隠蔽層１４ｂを複数回印刷するようにしても、ダミー隠蔽層１４ａをベタ隠蔽層１４ｂの間に挟むように印刷してもよい。
【００３４】
図３は、スクラッチ印刷物１００を構成する各層の印刷パターンの一例を示す図である。
【００３５】
機密データ１２が有する情報は、図３（ａ）に示すように、ＩＤ番号、ナンバ−リング(管理番号）等の文字情報であり、スクラッチカード１ごとに情報を変えて印刷される。
【００３６】
剥離層１３の印刷パターンは、図３（ｂ）に示すように、機密データ１２を覆う均一なパターンである。
【００３７】
ダミー隠蔽層１４ａの印刷パターンは、図３（ｃ）に示すように、数字等の文字の不規則な羅列パターンである。ダミー隠蔽層１４ａのパターンを構成する文字は、機密データ１２に含まれる文字と、同一若しくは類似のフォント、又は／及び、同一若しくは類似のサイズであることが好ましい。また、ダミー隠蔽層１４ａのパターンを構成する文字は、互いに、フォントサイズ比で、一定の割合重なるように配置することが好ましい。
ベタ隠蔽層１４ｂの印刷パターンは、図３（ｄ）に示すように、機密データ１２を覆う均一なパターンである。
【００３８】
図４は、第１の実施形態に係るスクラッチ印刷物１００と、従来のスクラッチ印刷物３００をそれぞれバックライトにかざした際に透かして見えるイメージ図である。
【００３９】
図４（ａ）に、従来のスクラッチ印刷物３００を裏面から強い光にかざした場合に、スクラッチ印刷物３００の表面で確認できる陰影を表す。図４（ａ）に示すスクラッチ印刷物３００の例では、機密データ１２上に隠蔽層１４をオフセット印刷にて４度重ね刷りしているが、機密データ１２が透けて見えてしまう。
【００４０】
図４（ｂ）に、スクラッチ印刷物１００を図４（ａ）と同一条件で強い光にかざした場合に、スクラッチ印刷物１００の表面で確認できる陰影を表す。図４（ｂ）に示すスクラッチ印刷物１００の例では、図４（ａ）と同一の機密データ１２上に、図４（ａ）と同一条件のオフセット印刷で、ダミー隠蔽層１４ａを１度刷り、ベタ隠蔽層１４ｂを３度重ね刷りしているが、機密データ１２を判別できない。層構成は剥離層の上にベタ隠蔽層１４ｂ、ダミー隠蔽層１４ａ、ベタ隠蔽層１４ｂと重ね塗りしてもよい。
【００４１】
従来のスクラッチ印刷物３００の場合、隠蔽層１４の膜厚が均一であるために、裏面から強い光を当てた際の光の透過性が均一となり、機密データ１２が識別できてしまう。一方、スクラッチ印刷物１００の場合、ダミー隠蔽層１４ａにより、光の透過性が不均一となり、機密データ１２が識別しにくくなる。
【００４２】
図５は、第２の実施形態に係るスクラッチ印刷物２００の積層断面を表した模式図である。
【００４３】
スクラッチ印刷物２００には、第１の実施形態に係るスクラッチ印刷物１００の上に、さらに、通常の印刷用白インキによって、オフセット印刷等により印刷されてホワイトインキ層１５が形成され、ホワイトインキ層１５を覆うように、通常の印刷用色インキによって、オフセット印刷等により印刷されて色インキ層１６が形成される。
【００４４】
色インキ層１６は、イエローインキ、マゼンタインキ、シアンインキ、ブラックインキ等を用いて数回に分けて刷ることで、ホワイトインキ層１５上にフルカラーの絵柄を形成することができる。
【００４５】
以上、添付図面を参照しながら、本発明に係るスクラッチ印刷物等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００４６】
１００、２００………スクラッチ印刷物
１………スクラッチカード
１１………基材
１２………機密データ
１３………剥離層
１４ａ………ダミー隠蔽層
１４ｂ………ベタ隠蔽層
１５………ホワイトインキ層
１６………色インキ層
【図１】
2014233915.tif 000003
【図２】
2014233915.tif 000004
【図３】
2014233915.tif 000005
【図４】
2014233915.tif 000006
【図５】
2014233915.tif 000007
【図６】
2014233915.tif 000008